(57)【特許請求の範囲】
【請求項１】
上下から被挟持体を挟持可能な挟持部の一半部を形成した固定枠と、前記挟持部の他半部を形成した回動枠と、固定枠に回動枠の一端部を軸支すると共にその軸支位置を調節可能にする軸支機構と、前記両枠の開放端側で前記両枠を係脱可能に締結する締結機構と、固定枠の下側に設けた吊持部とを備えてなるクランプハンガーであって、
前記軸支機構は、前記固定枠と前記回動枠の何れか一方に、複数の軸孔を上下に並設し、該軸孔の何れにも挿入可能な軸部材を、他方の枠に着脱可能に設け、
前記締結機構は、前記固定枠と前記回動枠の何れか一方に、雄ネジ部材の後端部を、その先端側が上下回動するように軸着し、そして、該雄ネジ部材が遊嵌する切欠部を他方の枠に形成し、該雄ネジ部材の先端側に、該雄ネジ部材に環装されて前記切欠部に係止可能な係止部材と、該雄ネジ部材に螺合されて前記係止部材を押圧可能な雌ネジ部材とを設け、更に、該雄ネジ部材における前記係止部材と軸着部との間に、前記係止部材を付勢すると共に前記切欠部に遊嵌可能なコイルスプリングを環装してなることを特徴とするクランプハンガー。
【請求項２】
上下から被挟持体を挟持可能な挟持部の一半部を形成した固定枠と、前記挟持部の他半部を形成した回動枠と、固定枠に回動枠の一端部を軸支すると共にその軸支位置を調節可能にする軸支機構と、前記両枠の開放端側で前記両枠を係脱可能に締結する締結機構と、固定枠の下側に設けた連結部とを備えて被挟持体を挟持する挟持構造体を構成し、二組の該挟持構造体を上下逆さになるように連結部同士で軸着したクランプハンガーであって、
前記軸支機構は、前記固定枠と前記回動枠の何れか一方に、複数の軸孔を上下に並設し、該軸孔の何れにも挿入可能な軸部材を、他方の枠に着脱可能に設け、
前記締結機構は、前記固定枠と前記回動枠の何れか一方に、雄ネジ部材の後端部を、その先端側が上下回動するように軸着し、そして、該雄ネジ部材が遊嵌する切欠部を他方の枠に形成し、該雄ネジ部材の先端側に、該雄ネジ部材に環装されて前記切欠部に係止可能な係止部材と、該雄ネジ部材に螺合されて前記係止部材を押圧可能な雌ネジ部材とを設け、更に、該雄ネジ部材における前記係止部材と軸着部との間に、前記係止部材を付勢すると共に前記切欠部に遊嵌可能なコイルスプリングを環装してなることを特徴とすることを特徴とするクランプハンガー。
【発明の詳細な説明】
【０００１】
【発明の属する技術分野】
本発明は、スポットライト等の照明器具や、スピーカー等の音響機器を天井等に配設されたパイプ等の被挟持体に吊下げ設置したり、被挟持体同士を連結したりするのに使用するクランプハンガーに関するものである。
【０００２】
【従来の技術】
従来、この種のクランプハンガーには、上下から被挟持体を挟持可能な挟持部の一半部を形成した固定枠と、前記挟持部の他半部を形成した回動枠と、固定枠に回動枠の一端部を軸支する軸支部と、前記両枠の開放端側で上下に回動して前記両枠を係脱可能に締結する雄ネジ部材と、固定枠の下側に設けた吊持部とを備えてなるものがある。
ところで、クランプハンガーが着脱される被挟持体には、２５Ａ（φ３４ｍｍ），３２Ａ（φ４２．７ｍｍ），４０Ａ（φ４８．６ｍｍ）等太さの異なる数種類のパイプが用いられ、これらのパイプは、格子状に組まれて舞台やスタジオ等の天井に設置されている。
よって、上記従来構造のクランプハンガーでは、パイプ径に対し適切なサイズのものを選定しないと不具合が生じ、例えば、小径の被挟持体を挟持しようとすると、被挟持体と固定枠及び回動枠との間に隙間ができてしまい、被挟持体を挟持できなかったり、また、大径の被挟持体を挟持しようとすると、両枠を締結する雄ネジ部材の長さが足りなかったり等の問題が生じ、この場合、回動枠又は雄ネジ部材等の部品交換により対応しなければならなかった。
そこで、上記従来例の改良として、図１２に示す特開平８−１７７８１５に公示されたクランプハンガー１００のように、くの字状の軸止孔１０１に軸部材１０２を係合させることにより、固定枠１０３と回動枠１０４との軸止位置を可変可能にしたものが提案されている。
【０００３】
【発明が解決しようとする課題】
しかしながら、上記後者の従来例では、くの字状に連続させた軸止孔１０１に、軸部材１０２を遊嵌状に係合させているため、被挟持体Ａに固定するときに、回動枠１０４が軸止部で動いてしまって安定せず作業がし辛いという問題がある。
また、切欠部１０５上面に係止される係止部材１０６が、雄ネジ部材１０７に対し遊嵌状に環装されているため、雄ネジ部材１０７を切欠部に着脱する際に自重で雄ネジ部材１０７の軸止部１０８側に移動してしまい、作業がし辛いといった問題もある。
【０００４】
本発明は上記従来事情に鑑みてなされたものであり、その目的とする処は、一種類で異なる太さの被挟持体を挟持できると共に、被挟持体に固定する作業を安全且つ速やかに行うことができるクランプハンガーを提供することにある。
【０００５】
【課題を解決するための手段】
上記目的を達成するための本発明の技術的手段として、請求項１は、上下から被挟持体を挟持可能な挟持部の一半部を形成した固定枠と、前記挟持部の他半部を形成した回動枠と、固定枠に回動枠の一端部を軸支すると共にその軸支位置を調節可能にする軸支機構と、前記両枠の開放端側で前記両枠を係脱可能に締結する締結機構と、固定枠の下側に設けた吊持部とを備えてなるクランプハンガーであって、前記軸支機構は、前記固定枠と前記回動枠の何れか一方に、複数の軸孔を上下に並設し、該軸孔の何れにも挿入可能な軸部材を、他方の枠に着脱可能に設けてある。
請求項２は、上下から被挟持体を挟持可能な挟持部の一半部を形成した固定枠と、前記挟持部の他半部を形成した回動枠と、固定枠に回動枠の一端部を軸支すると共にその軸支位置を調節可能にする軸支機構と、前記両枠の開放端側で前記両枠を係脱可能に締結する締結機構と、固定枠の下側に設けた連結部とを備えて被挟持体を挟持する挟持構造体を構成し、二組の該挟持構造体を上下逆さになるように連結部同士で軸着したクランプハンガーであって、前記軸支機構は、前記固定枠と前記回動枠の何れか一方に、複数の軸孔を上下に並設し、該軸孔の何れにも挿入可能な軸部材を、他方の枠に着脱可能に設けてある。
そして、前記締結機構が、前記固定枠と前記回動枠の何れか一方に、雄ネジ部材の後端部を、その先端側が上下回動するように軸着し、そして、該雄ネジ部材が遊嵌する切欠部を他方の枠に形成し、該雄ネジ部材の先端側に、該雄ネジ部材に環装されて前記切欠部に係止可能な係止部材と、該雄ネジ部材に螺合されて前記係止部材を押圧可能な雌ネジ部材とを設け、更に、該雄ネジ部材における前記係止部材と軸着部との間に、前記係止部材を付勢すると共に前記切欠部に遊嵌可能なコイルスプリングを環装してなることを要旨とする。
【０００６】
上記技術的手段によれば下記の作用を奏する。
（請求項１）  軸支機構が、固定枠に回動枠の一端部を軸支すると共にその軸支位置を調節可能にすることで、固定枠と回動枠の挟持部間を開閉可能にし、且つ、その挟持部間隔を調節可能にする。そして、締結機構が、両枠の開放端側を係脱可能に締結する。そして、吊持部が固定枠の下側に照明装置等の被吊持体を吊下げ可能にする。
尚、固定枠と回動枠の挟持部間隔を広げるときには、一方の枠に設けられた軸部材を他方の枠における上位の軸孔に挿入して両枠を軸支し、また逆に、固定枠と回動枠の挟持部間隔を狭めるときには、一方の枠に設けられた軸部材を他方の枠における下位の孔に挿入して両枠を軸支する。
（請求項２）  軸支機構が、固定枠に回動枠の一端部を軸支すると共にその軸支位置を調節可能にすることで、固定枠と回動枠の挟持部間を開閉可能にし、且つ、その挟持部間隔を調節可能にする。また、締結機構が、両枠の開放端側を係脱可能に締結する。そして、上下逆さの二組の挟持構造体が、それぞれ上下で、固定枠と回動枠の挟持部間に被挟持体を挟持する。
尚、固定枠と回動枠の挟持部間隔を広げるときには、一方の枠に設けられた軸部材を他方の枠における上位の軸孔に挿入して両枠を軸支し、また逆に、固定枠と回動枠の挟持部間隔を狭めるときには、一方の枠に設けられた軸部材を他方の枠における下位の孔に挿入して両枠を軸支する。
（請求項１、２）  固定枠と回動枠との開放端側を狭めた状態で、雄ネジ部材の先端側を上方に回動させると、雄ネジ部材及びコイルスプリングが切欠部に遊嵌する。そして、雌ネジ部材を締込むことにより係止部材が切欠部に係止して、両枠の開放端側が締結される。また、締付け部材を緩めて、雄ネジ部材の先端側を下方に回動することにより、締結状態を解除することができる。
尚、締結状態を解除した状態においては、コイルスプリングが係止部材を雌ネジ部材側に付勢しているので、係止部材が自重等により雄ネジ部材の軸止部側に移動することがない。
【０００７】
【発明の実施の形態】
以下、本発明の実施の形態を図面に基づいて説明する。
図１乃至６は、本発明に係わる第一の実施形態であるクランプハンガー１０を示し、図７乃至８は、本発明に係わる第二の実施形態であるクランプハンガー２０を示し、又、図９乃至１０は、クランプハンガー１０及び２０における吊持部の他例を示し、図１１は、本発明に係わる第三の実施形態であるクランプハンガー３０示す。
【０００８】
クランプハンガー１０は、下側の固定枠１と、この固定枠１に軸支された上側の回動枠２と、固定枠１と回動枠２との軸支位置を調節可能にする軸支機構３と、両枠１，２を係脱可能に締結する締結機構４と、固定枠１の下側にネジ止め固定された吊持部５とを備えてなる。
【０００９】
固定枠１は、上下から被挟持体Aを挟持可能な挟持部６の一半部６ａを略中央に形成した正面視凹状の板金曲げ加工部材である。
【００１０】
また、回動枠２は、固定枠１同様に、挟持部６の他半部６ｂを略中央に形成した正面視凹状を呈する板金曲げ加工部材である。
そして、この回動枠２は、挟持部６の両半部６ａ，６ｂが被挟持体Aを挟持すべく開閉するように、後述する軸支機構３によって、その一端側を固定枠１の一端側に軸支している。
【００１１】
軸支機構３は、固定枠１の一端側に、複数の軸孔３ｂを上下に並設し、これらの軸孔３ｂの何れにも挿入可能な軸部材３ａを、回動枠２に着脱可能に設けることにより、軸支位置を調節可能にしている。
尚、軸孔３ｂと軸部材３ａの関係は、図示例と逆の構成でも構わず、即ち、固定枠１側に軸部材３ａを設け、回動枠２側に複数の軸孔３ｂを上下に並設した構成としてもよい。
【００１２】
前記軸部材３ａは、一般的なボルトであり，固定枠１と回動枠２とを軸支し、先端ネジ部に、緩み止め構造を有するナットを螺合するか、或いは、バネ部材等の緩み止め部材を併用してナットを螺合して締め付けてある。そして、固定枠１と回動枠２との軸支位置を可変するときには、ナットを外して抜き差しされる。尚、この軸部材３ａは、着脱可能であれば、ボルト以外の軸部材を使用しても構わない。
【００１３】
締結機構４は、固定枠１に、雄ネジ部材１４の後端部を、その先端側のネジ軸が上下回動するように軸着し、雄ネジ部材１４が遊嵌可能な切欠部２aを回動枠２に形成し、そして、雄ネジ部材１４の先端側に、切欠部２ａに係止可能な締付け部材２４を螺合装着してなり、固定枠１及び回動枠２の開放端同士を係脱自在に締結している。
尚、図示例と逆に固定枠１に切欠部２ａを形成し、回動枠２に雄ネジ部材１４を軸着するように構成しても構わない。
【００１４】
雄ネジ部材１４は、ネジ軸の後端に軸孔を穿設してなる略ボルト状の部材であり、固定枠１の開放端側（図１における右側）に、ボルト，ナット，座金，バネ座金等の組み合わせ部材又は止めピン等からなる軸支部材１４ｂにより軸支されている。
また、締付け部材２４は、円筒状の係止部材２４ａ，バネ座金２４ｂ，蝶ナット状の雌ネジ部材２４ｃからなる。
そして、雄ネジ部材１４のネジ軸には、コイルバネ４ａ，係止部材２４ａ，バネ座金２４ｂが順番に遊嵌され、その先端側に雌ネジ部材２４ｃが螺合されている。
【００１５】
コイルバネ４ａは、その付勢力により係止部材２４ａ及びバネ座金２４ｂを雌ネジ部材２４ｃに密着させてずれ落ちを防止している。
また、係止部材２４ａは、その底面を回動枠２の切欠部２ａ上面に係止可能な直径を有する円筒状を呈し、切欠部２ａとバネ座金２４ｂとの間隔を広げることで、雌ネジ部材２４ｃを雄ネジ部材１４先端側に配置させ、雌ネジ部材２４ｃの周囲に回動枠２の開放端側を近接させないようにして、雌ネジ部材２４ｃの操作性を確保している。
【００１６】
尚、締付け部材２４は上記構成に限るものでなく、例えば、図５に示すように、係止部材２４ａ，バネ座金２４ｂ，六角ナット状の雌ネジ部材２４ｄの組み合わせ、あるいは、座金状の係止部材２４ｅ，バネ座金２４ｂ，円筒状ナットの上部に操作棒を取付けたハンドル状の雌ネジ部材２４ｆの組み合わせであっても構わない。
【００１７】
切欠部２ａは、図２に示すように、回動枠２の開放端下側の両縁を内向きに折り曲げた部分に、その切り口を締結機構４側に向けて形成してなり、その幅を雄ネジ部材１４のネジ軸及びコイルバネ４ａより広く、且つ、係止部材２４ａの外径よりも狭く形成することにより、回動する雄ネジ部材１４及びコイルバネ４ａを遊嵌させると共に、雌ネジ部材２４ｃが締められたときに切欠部２ａの上側面に係止部材２４ａが係止するようにしている。
【００１８】
また、吊持部５は、照明装置等の吊下げ用軸体を挿入し得る鉛直方向の軸孔５ａを形成した縦筒状の縦筒部材１５の側壁に、水平方向に対向する二つのネジ孔２５ａ，２５ｂを形成した横筒状の横筒部材２５を貫通させて、両筒部材１５，２５を溶接固定した略十字型を呈している。
前記二つのネジ孔２５ａ，２５ｂは、それぞれに螺合挿入される固定ネジ部材３５と補助ネジ部材４５とが、その先端で軸孔２５ａに挿入される吊下げ用軸体を押圧固定するように、内部で軸孔２５ａに連絡している（図３参照）。
【００１９】
尚、吊持部５は、従来、径の大きい軸素材から十字型に削り出して形成していたが、本実施の形態では、上記の通り、縦筒部材１５と横筒部材２５を溶接することにより十字型に構成することで、削り代の無駄を無くし、素材料費及び加工費を軽減している。
【００２０】
固定ネジ部材３５は後端に三角形状の摘み部を備えてなり、また、補助ネジ部材４５は後端に蝶摘み状の摘み部を備えてなる。そして、両ネジ部材３５，４５とも、先端側のみに雄ネジが形成されており、挿入されるネジ孔２５ａ，２５ｂについても、奥側のみに雌ネジを形成することにより、緩められたときに双方のネジが外れて、ネジ孔２５ａ，２５ｂ内の外側に形成されたネジの無い部分で空回りするように構成されている（図３参照）。
そして、ネジ孔２５ａ，２５ｂ内で空回りした両ネジ部材３５，４５は、後述する落下防止金具５５により、抜け落ちを防止されている。
【００２１】
落下防止金具５５は、固定ネジ部材３５及び補助ネジ部材４５における雄ネジの山径よりも小さく且つ後端側のネジの無いネジ首部分に遊嵌可能な幅の切欠部５５ａを形成した円形蓋状の部材であり、横筒部材２５の両端部にそれぞれ装着されネジ止めされており、切欠部５５ａを両ネジ部材３５，４５のネジ首部分に遊嵌させることにより、切欠部５５ａが両ネジ部材３５，４５を雄ネジ部分で係止して抜け落ちを防止している（図３乃至４参照）。
【００２２】
而して、上記構成のクランプハンガー１０は、下記の作用を奏する。
軸支機構３が、固定枠１に回動枠２の一端部を軸支すると共にその軸支位置を調節可能にすることにより、固定枠１と回動枠２の挟持部６間を開閉可能にし、且つ、その挟持部６間隔を調節可能にする。即ち、太さの異なる被挟持体Ａに対し、固定枠１と回動枠２との軸支位置を変えて対応できる。
例えば、太めの被挟持体Ａ’を挟持するときには、図６に示すように、固定枠１に設けられた軸部材３ａを、回動枠２の上位の軸孔３ｂに挿入して両枠１，２が軸支される。
そして、締結機構４が、両枠１，２の開放端側を係脱可能に締結し、また、吊持部５が固定枠１の下側に照明装置等の被吊持体を吊下げ可能にする。
【００２３】
挟持部６間に被挟持体Ａを挟持するときには、固定枠１と回動枠２との開放端側を狭めて被挟持体Ａを挟持部６間に挟持し、この状態のまま雄ネジ部材１４のネジ軸を上方に回動させ、そのネジ軸及びコイルバネ４ａを切欠部に遊嵌させる。そして、締付け部材２４を締込むことにより、両枠１，２の開放端側が締結される。
また、両枠１，２の締結状態を解除するときには、締付け部材２４を緩めると、雄ネジ部材１４のネジ軸が下方に回動できるようになって、締結機構４が解除される。
【００２４】
よって、クランプハンガー１０は、被挟持体Ａの太さが異なる場合でも、上記のように、軸支機構３により軸支位置を可変することで対応できる。
尚、被挟持体Ａの太さが異なり軸支位置を可変した場合に、固定枠１と回動枠２の開放端の間隔が変わるが、これについては、締付け部材２４の締込み位置が変わることで対応される。即ち、太い被挟持体Ａを挟持した場合には、その締込み位置が浅くなり、細い被挟持体Ａを挟持した場合には、その締込み位置が深くなる。
【００２５】
次に、本発明に係わる第二の実施形態であるクランプハンガー２０について説明する。このクランプハンガー２０は、基本構造を上述したクランプハンガー１０と同様にしているため、同一部分は、図に同一符号を付けることにより重複説明を省略する。
【００２６】
クランプハンガー２０は、図７乃至８に示すように、被挟持体Ａに上側から当接する固定枠１’と、この固定枠１’に軸支された下側の回動枠２’と、固定枠１’と回動枠２’との軸支位置を調節可能にする軸支機構３と、両枠１，２を係脱可能に締結する締結機構４と、固定枠１’の下側にネジ止め固定された吊持部８とを備えてなる。
【００２７】
固定枠１’は、上下から被挟持体Aを挟持可能な挟持部６の一半部６ａを上側の略中央に形成すると共に、側方（図７における右側）を開口した正面視フック状を呈する板金曲げ加工部材である。
【００２８】
また、回動枠２’は、挟持部６の他半部６ｂを略中央に形成した正面視凹状を呈する板金曲げ加工部材である。
そして、この回動枠２’は、挟持部６の両半部６ａ，６ｂが被挟持体Aを挟持すべく開閉するように、上述したクランプハンガー１０の構成と同様の軸支機構３によって、その一端側を固定枠１’の反開口側に軸支している。
【００２９】
固定枠１’と回動枠２’の開放端側には、上述したクランプハンガー１０の構成と同様にして、締結機構４が設けられている。
【００３０】
また、吊持部８は、照明装置等の吊下げ用のパイプ状アームＢを挟持し得る半割状の上下の挟持部材８ａ，８ａを設け、これら挟持部材８ａ，８ａを、上下から固定枠１’の底面と挟持板８ｂとの間に挟み、それらをボルト及びナット等からなる締結部材８ｃにより締結して構成されている。
【００３１】
而して、上記構成のクランプハンガー２０は、上述したクランプハンガー１０と同様の作用を奏し、軸支機構３により固定枠１’と回動枠２’の軸支位置を可変することにより、太さの異なる被挟持体Ａを挟持するのに対応できる。
【００３２】
尚、クランプハンガー１０及び２０において、吊持部の実施態様は限定されるものでなく、上記した何れのもの（吊持部５又は吊持部８）であっても構わない。又、図９に示すように、照明装置等の吊下げ用の平板状アームCを固定枠１又は１’の底面と挟持板８５との間に挟持するように構成した吊持部１８や、図１０に示すように、固定枠１又は１’の底面に、照明装置等の筒状吊下げ部に挿入可能なダボ部材２８ａをネジ止め固定して構成した吊持部２８等を備えるのも自由である。
【００３３】
次に、本発明に係わる第三の実施形態であるクランプハンガー３０について説明する。このクランプハンガー３０についても、基本構造を上述したクランプハンガー１０と同様にしているため、同一部分は、図に同一符号を付けることにより重複説明を省略する。
【００３４】
クランプハンガー３０は、図１１に示すように、クランプハンガー１０から吊持部５を除いた構成の挟持構造体９を二組設け、これら二組の挟持構造体９，９を上下逆さになるように双方の連結部１９同士で軸着してなり、格子状に組まれた被挟持体Ａを、その交差部で締結するものである。
【００３５】
連結部１９は、クランプハンガー１０において吊持部５をネジ止めしていた固定枠１の底部分である。そして、この連結部１９にて、二組の挟持構造体９，９が、ボルト，ナット，座金，バネ座金等からなる締結部材２９により軸着されている。
尚、二組の挟持構造体９，９は、回動可能な程度の締付け力で軸着することにより、上下に挟持される被挟持体Ａ，Ａの角度誤差に対応可能にしている。
【００３６】
そして、上記構成のクランプハンガー３０は、上述したクランプハンガー１０及び２０と同様に軸支機構３及び締結機構４が作用し、上下で格子状に組まれた被挟持体Ａを、その交差部で締結する。
上下の挟持構造体９，９は、回動可能に軸着されているため、使用時には上下が略直角になるように回動した状態で用いられ、また、使用しない時には、上下が略平行になるよう（図１１に示す位置）に回動されてコンパクトな収納態様になる。
【発明の効果】
本発明は、以上説明したように構成されているので、以下に記載されるような効果を奏する。
軸支位置を可変する軸支機構により、固定枠と回動枠の挟持部間隔が可変できるので、例えば、太めの被挟持体を挟持する場合には、挟持部間隔が広くなるように軸支位置変えて使用し、また、その逆も可能であり、一種類のクランプハンガーで異なる太さの被挟持体を挟持できる。
しかも、軸止位置の変更が軸部材を複数独立して設けた軸孔の何れかに挿入することで行われるので、従来構造のもののように、被挟持体に固定するときに、回動枠がくの字状軸止部内で動いてしまって安定せず作業がし辛いという問題がない。
よって、一種類で異なる太さの被挟持体を挟持できると共に、被挟持体に固定する作業を安全且つ速やかに行うことができるクランプハンガーを提供することができる。
また、固定枠の下側に連結部を備えて、被挟持体を挟持する挟持構造体を構成し、二組の該挟持構造体を上下逆さになるように連結部同士で軸着することで、二組の挟持構造体の上下それぞれで、固定枠と回動枠の挟持部間に被挟持体を挟持させることができ、これにより、格子状に組まれる被挟持体の交差部に設けて、その交差部において上下になった被挟持体を結合することができる。勿論、この場合においても、上下それぞれについて、固定枠と回動枠との軸支位置を変えることにより、太さの異なる被挟持体を挟持できる。
更に、締結機構の係止部材をコイルスプリングで付勢するように構成することで、雄ネジ部材を切欠部に着脱する際に係止部材が自重で雄ネジ部材の軸止部側に移動してしまって作業がし辛いという従来の問題も解消される。
【図面の簡単な説明】
【図１】本発明に係わるクランプハンガーの一例を示し、（イ）は回動枠が開いた状態を示す要部縦断面図、（ロ）は回動枠が閉じた状態を示す要部縦断面図。
【図２】同クランプハンガーを示し、（イ）は一部切欠正面図、（ロ）は側面図。
【図３】図２（イ）における（３）−（３）線拡大断面図。
【図４】図３における（４）−（４）線拡大断面図。
【図５】本発明に係わるクランプハンガーの一例を示す正面図であり、締付け部材の他例も示している。
【図６】本発明に係わるクランプハンガーの他例を示す一部切欠正面図。
【図７】本発明に係わるクランプハンガーの他例を示し、（イ）は正面図、（ロ）は側面図。
【図８】図７におけるクランプハンガーの動作を示し、（イ）は締結機構を解除した状態を示す一部切欠正面図、（ロ）は回動枠を開いた状態を示す要部断面図。
【図９】吊持部の他例を示し、（ａ）は正面図、（ｂ）は側面図。
【図１０】吊持部の他例を示す正面図。
【図１１】本発明に係わるクランプハンガーの他例を示し、（イ）は下半側を縦断面で示した正面図、（ロ）は同図（イ）における（ロ）−（ロ）線断面図。
【図１２】従来のクランプハンガーの一例を示す正面図。
【符号の説明】
１：固定枠
２：回動枠
２ａ：切欠部
３：軸支機構
３ａ：軸部材
３ｂ：軸孔
４：締結機構
４ａ：コイルバネ
５：吊持部
６：挟持部
９：挟持構造体
１０，２０，３０：クランプハンガー
１４：雄ネジ部材
１９：連結部
２４：締付け部材
２４ａ，２４ｅ：係止部材
２４ｃ，２４ｄ，２４ｆ：雌ネジ部材
Ａ：被挟持体
【図１】
0004126125.tif 000002
【図２】
0004126125.tif 000003
【図３】
0004126125.tif 000004
【図４】
0004126125.tif 000005
【図５】
0004126125.tif 000006
【図６】
0004126125.tif 000007
【図７】
0004126125.tif 000008
【図８】
0004126125.tif 000009
【図９】
0004126125.tif 000010
【図１０】
0004126125.tif 000011
【図１１】
0004126125.tif 000012
【図１２】
0004126125.tif 000013